(57)【要約】【課題】イラストの印刷されたランチョンマットの利用者にそのイラストに関する情報を提供する。【解決手段】本考案にかかるランチョンマットは、イラストと、そのイラストに関する情報を表すＱＲコードとが印刷されていることを特徴とする。これらのイラストは、絵画、写真、および造形物から選択された画像とすることができる。ランチョンマットの利用者は、携帯電話などでＱＲコードを読み取ると、人物からのメッセージや商品の情報などのイラストに関する情報を直接得ることができる。【選択図】図１
0003133983.tif 000002
【実用新案登録請求の範囲】
【請求項１】
イラストの印刷されたランチョンマットにおいて、前記イラストに関する情報を表すＱＲコードが印刷されていることを特徴とするランチョンマット。
【請求項２】
前記イラストが、絵画、写真および造形物から選択された画像であることを特徴とする請求項１に記載されたランチョンマット。
【請求項３】
前記イラストが、人を表すイラストであり、前記ＱＲコードが前記人のメッセージを表していることを特徴とする請求項１または請求項２に記載されたランチョンマット。
【請求項４】
前記イラストが商品のイラストであり、前記ＱＲコードが前記商品に関する情報を表していることを特徴とする請求項１または請求項２に記載されたランチョンマット。
【請求項５】
前記イラストが、美術品、風景、建物、動物、植物、歴史上または空想上の人物、アニメまたは童話の登場人物、天体、国旗、及び紋章のうちから選択されたイラストであることを特徴とする請求項１または請求項２に記載されたランチョンマット。
【考案の詳細な説明】
【技術分野】
【０００１】
本考案は、イラストの印刷されたランチョンマットに関するものである。
【背景技術】
【０００２】
家庭や飲食店で、食卓で皿やナイフ・フォーク・コップなどを載せるための敷物として、ランチョンマットが使われている。ランチョンマットには、模様やイラストが印刷されているものが多く、利用者の好みや場の雰囲気に合わせて取り替えられる。
【０００３】
特許文献１には、飲食店で用いられるランチョンマットにＱＲコードを付することが記載されている。特許文献１によれば、飲食店のテーブル常備品や飲食店が宣伝用に配布するノベルティーにＱＲコードが表示され、実際に店に来た利用客がＱＲコードを撮影すると店の料理、値段等の店舗情報をデータベースサーバから受信できる。このように、特許文献１に記載されたランチョンマットは、飲食店内で利用されるテーブル常備品であり、ＱＲコードを付すことにより、その飲食店の情報をデータベースサーバへ接続することによって提供するものである。
【特許文献１】登録実用新案第３１１２２４２号
【考案の開示】
【考案が解決しようとする課題】
【０００４】
飲食店だけでなく広く家庭や施設などで使用されるランチョンマットには、利用者の興味の対象となるイラストが印刷されていることが多く、このようなランチョンマットの利用者は、これらのイラストについての情報を知りたい場合がある。このような場合、その情報は、データベースサーバに接続しなくても、ＱＲコード自体で表示できる程度の簡易な情報でよい場合が多い。本考案は、イラストの印刷されたランチョンマットの利用者に、そのイラストに関する情報を提供するランチョンマットを提供することを目的とする。
【課題を解決するための手段】
【０００５】
本考案に係るランチョンマットは、イラストが印刷され、そのイラストに関する情報を表すＱＲコードが印刷されていることを特徴とする。これらのイラストは、絵画、写真、および造形物から選択された画像とすることができる。
【０００６】
本考案の一具体例によれば、イラストが人の画像であり、ＱＲコードがこの人からのメッセージを表しているランチョンマットである。この人は、現存する人、歴史上の人物、空想上の人物でもよく、イラストは写真、肖像等でよい。例えば、有名タレントの画像が印刷され、このタレントのメッセージをＱＲコードとして印刷できる。
【０００７】
本考案の他の具体例としては、商品のイラストが印刷され、ＱＲコードがその商品に関する情報を含むランチョンマットが提供される。商品としては、文具、化粧品、自動車、雑貨、酒類のほか、菓子、フルーツ、野菜、肉などの食品、食器箸、ナイフなど日用品、着物、洋服などの衣類など商取引の対象となる有体物、不動産であればどのような商品でもよく、商品に関する情報としては、その商品の産地、販売地、販売者、品質、原材料、効能、値段等の情報である。
【０００８】
その他、絵画、彫刻などの美術品のイラストに対して、その作者、製作年、講評、所有者などの情報をＱＲコードとすることができる。海、山、森、砂漠、都市などの風景や、神社仏閣、塔、門、ビルなどの建物などのイラストに対して、名称、所在地、行き方、大きさ、建造者などの情報をＱＲコードとすることができる。鳥や魚、昆虫その他動物、空想上の動物、花、木などの植物のイラストに対して、その名称、生息地域、特性などの情報をＱＲコードとすることができる。著名人、歴史上、空想上などの人物に対して、名前、生存年、業績などをＱＲコードとできる。星、星座などの天体のイラストに対して、名称、観察季節、方向などの情報をＱＲコードにできる。アニメや童話の登場人物に対して、作者、ストーリー、特技などの情報をＱＲコードとして添付できる。国旗、紋章などについては、国名などの情報をＱＲコードとできる。その他、イラストとしては、どのようなイラストでも使用できる。
【０００９】
ランチョンマットの利用者は、携帯電話などでＱＲコードを読み取ると、人物からのメッセージや商品の情報などイラストに関する情報を直接得ることができる。
【実施例】
【００１０】
以下では、概略図面を参照して、本考案をより詳細に説明する。
【００１１】
図１は、結婚披露宴の花嫁４、花婿６の写真を印刷したランチョンマット１に、二人からのメッセージをＱＲコード２として印刷したものである。例えば、披露宴に出席した人に記念品として配布することができる。
【００１２】
図２は、自動車８の写真を印刷したランチョンマット１に、担当セールスマンの氏名、電話番号を含む情報をＱＲコード２として印刷したものである。利用者は、ランチョンマットを見て、当該自動車に興味を持てば、ＱＲコードを携帯電話で読み取ると、自動車の性能等の情報の他、担当セールスマンの氏名、電話番号等を知ることができる。
【００１３】
本考案に係るランチョンマットの作製手順は以下の通りである。まず、目的画像を選択する。画像は上記のとおり、絵画、写真、造形物などから選択できる。次に、ＱＲコードとする情報を決定し、市販のソフトを用いてＱＲコードを作成する。画像と、ＱＲコードを合成、編集してＱＲコード付き画像を作成する。最後に、ＱＲコード付き画像をランチョンマットに印刷する。
【００１４】
以上述べたように、本考案によるランチョンマットの構成を一例として説明したが、この構成に限定されるものではなく、請求の範囲から離脱することなく種々の変更が可能であることは言うまでもない。
【図面の簡単な説明】
【００１５】
【図１】本考案に係るランチョンマットの一例を示す平面図。
【図２】本考案に係るランチョンマットの他の例を示す平面図。
【符号の説明】
【００１６】
１  ランチョンマット
２  ＱＲコード
４  花嫁
６  花婿
８  自動車
【図１】
0003133983.tif 000003
【図２】
0003133983.tif 000004
【手続補正書】
【提出日】平成19年6月4日(2007.6.4)
【手続補正１】
【補正対象書類名】実用新案登録請求の範囲
【補正対象項目名】全文
【補正方法】変更
【補正の内容】
【実用新案登録請求の範囲】
【請求項１】
イラストの印刷されたランチョンマットにおいて、前記イラストに関する情報を表すＱＲコード（登録商標）が印刷されていることを特徴とするランチョンマット。
【請求項２】
前記イラストが、絵画、写真および造形物から選択された画像であることを特徴とする請求項１に記載されたランチョンマット。
【請求項３】
前記イラストが、人を表すイラストであり、前記ＱＲコードが前記人のメッセージを表していることを特徴とする請求項１または請求項２に記載されたランチョンマット。
【請求項４】
前記イラストが商品のイラストであり、前記ＱＲコードが前記商品に関する情報を表していることを特徴とする請求項１または請求項２に記載されたランチョンマット。
【請求項５】
前記イラストが、美術品、風景、建物、動物、植物、歴史上または空想上の人物、アニメまたは童話の登場人物、天体、国旗、及び紋章のうちから選択されたイラストであることを特徴とする請求項１または請求項２に記載されたランチョンマット。